(57)【要約】【課題】直感的かつ簡単な操作で、さらに在庫総数が現実の数と合わなくなる可能性をなくして店舗間の在庫移動に関するデータ処理を実行する。【解決手段】  表示制御部は、表示装置に、複数の店舗のそれぞれに対応する表示領域４１ａ，４１ｂを設け、表示領域４１ａ，４１ｂにおいて、商品種類ごとに１列で在庫数をその在庫数と同数の所定のシンボル画像５１で表示させ、ユーザによる移動操作に基づき、ある店舗の表示領域４１ａにおけるある商品種類の商品に対応するシンボル画像５１を別の店舗の表示領域４１ｂへ移動させて表示し、その移動操作が完了すると、移動対象の商品のシンボル画像５１を、別の店舗の表示領域４１ｂにおける同一の商品種類のシンボル画像５１に自動的に追加してまとめて１列で表示させる。【選択図】  図３
2008110867.tif 000002
【特許請求の範囲】
【請求項１】
在庫状況データに基づき複数の店舗の在庫状況を表示装置に表示させる表示制御部と、
ユーザによる操作に基づき前記在庫状況データを変更するデータ処理部とを備え、
前記表示制御部は、前記表示装置の表示画面に、複数の店舗のそれぞれに対応する表示領域を設け、前記表示領域において、商品種類ごとに１列または１行で在庫数をその在庫数と同数の所定のシンボル画像で表示させ、さらに、ユーザによる移動操作に基づき、ある店舗の前記表示領域におけるある商品種類の商品に対応する前記シンボル画像を別の店舗の前記表示領域へ移動させて表示させ、その移動操作が完了すると、移動対象の商品の前記シンボル画像を、前記別の店舗の前記表示領域における同一の商品種類のシンボル画像に自動的に追加してまとめて１列または１行で表示させ、
前記データ処理部は、前記ある店舗および前記別の店舗について、前記シンボル画像の移動に対応して、前記在庫状況データにおけるそのシンボル画像に対応する商品の在庫数を変更すること、
を特徴とする在庫管理装置。
【請求項２】
前記表示制御部は、ユーザによる移動操作に基づき、複数の前記シンボル画像を別の店舗の前記表示領域へまとめて移動させて表示させることを特徴とする請求項１記載の在庫管理装置。
【請求項３】
前記表示制御部は、１つの前記所定のシンボル画像に対するユーザによる移動操作に応じて、その１つの前記所定のシンボル画像およびその前記所定のシンボル画像より前記１列または１行の先端側にあるすべてのシンボル画像をまとめて移動させて表示させることを特徴とする請求項２記載の在庫管理装置。
【請求項４】
前記表示制御部は、前記表示領域において、商品種類ごとに、１列または１行で在庫数および販売数をその在庫数および販売数とそれぞれ同数の、それぞれに異なる所定のシンボル画像で表示させ、さらに、ユーザによる移動操作に基づき、在庫数を示す前記シンボル画像を別の店舗の前記表示領域へ移動させて表示させ、その移動操作が完了すると、その在庫数を示す前記シンボル画像を、前記別の店舗の前記表示領域における同一の商品種類の、在庫数を示すシンボル画像に自動的に追加してまとめて販売数を示すシンボル画像とともに１列または１行で表示させ、また、ユーザによる移動操作に基づく、販売数を示す前記シンボル画像の移動を禁止することを特徴とする請求項１記載の在庫管理装置。
【請求項５】
前記表示制御部は、前記１列または１行の先端側にまとめて在庫数を示すシンボル画像を表示させ、さらに、１つの前記在庫数を示すシンボル画像に対するユーザによる移動操作に応じて、その１つの前記在庫数を示すシンボル画像およびそのシンボル画像より前記１列または１行の先端側にあるすべてのシンボル画像をまとめて移動させて表示させることを特徴とする請求項４記載の在庫管理装置。
【請求項６】
在庫状況データに基づき複数の店舗の在庫状況を表示する所定の表示装置の表示画面に、複数の店舗のそれぞれに対応する表示領域を設け、前記表示領域において、商品種類ごとに１列または１行で在庫数をその在庫数と同数の所定のシンボル画像で表示させるステップと、
ユーザによる移動操作に基づき、ある店舗の前記表示領域におけるある商品種類の商品に対応する前記シンボル画像を別の店舗の前記表示領域へ移動させて表示させるステップと、
その移動操作が完了すると、移動対象の商品の前記シンボル画像を、前記別の店舗の前記表示領域における同一の商品種類のシンボル画像に自動的に追加してまとめて１列または１行で表示させるステップと、
前記ある店舗および前記別の店舗について、前記シンボル画像の移動に対応して、前記在庫状況データにおけるそのシンボル画像に対応する商品の在庫数を変更するステップと、
を備えることを特徴とする在庫移動処理方法。
【発明の詳細な説明】
【技術分野】
【０００１】
本発明は、複数の店舗の商品在庫、特に在庫の移動を管理する在庫管理装置および在庫移動処理方法に関するものである。
【背景技術】
【０００２】
例えばアパレル製品を販売する企業は、同一ブランドの複数の店舗を近距離圏で展開することが多い。例えば大手百貨店ごとに同一ブランドの店舗が設けられたりする。その際、同一ブランドの各店舗は、他の店舗と同一種類の商品を販売する。このため、近距離圏の複数の店舗のそれぞれで、同一種類の商品の在庫を抱えることになる。したがって、ある店舗である商品の在庫が不足気味になると、同一地域における別の店舗の在庫からその商品を移動させる。その場合、在庫をある店舗から別の店舗へ移動させるための伝票を作成するとともに、在庫管理データベースにおけるある店舗の在庫数と別の店舗の在庫数を、数値を手入力して移動数量に応じて増減させる。
【０００３】
複数の店舗を管理するシステムとしては、例えば特許文献１に記載のものがある。
【特許文献１】特開平１１−４５３７５（要約書等）
【発明の開示】
【発明が解決しようとする課題】
【０００４】
しかしながら、在庫の移動の際に、手入力にて、まず、ある店舗の在庫数を減少させ、次に、別の店舗の在庫数を増加させると、２つの数値を編集する必要があるため、誤入力により在庫総数が現実の数と合わなくなる可能性がある。
【０００５】
本発明は、直感的かつ簡単な操作で、さらに在庫総数が現実の数と合わなくなる可能性をなくして店舗間の在庫移動に関するデータ処理を実行することができる在庫管理装置および在庫移動処理方法を得ることを目的とする。
【課題を解決するための手段】
【０００６】
上記の課題を解決するために、本発明では以下のようにした。
【０００７】
本発明に係る在庫管理装置は、在庫状況データに基づき複数の店舗の在庫状況を表示装置に表示させる表示制御部と、ユーザによる操作に基づき在庫状況データを変更するデータ処理部とを備える。表示制御部は、表示装置の表示画面に、複数の店舗のそれぞれに対応する表示領域を設け、表示領域において、商品種類ごとに１列または１行で在庫数をその在庫数と同数の所定のシンボル画像で表示させ、さらに、ユーザによる移動操作に基づき、ある店舗の表示領域におけるある商品種類の商品に対応するシンボル画像を別の店舗の表示領域へ移動させて表示させ、その移動操作が完了すると、移動対象の商品のシンボル画像を、別の店舗の表示領域における同一の商品種類のシンボル画像に自動的に追加してまとめて１列または１行で表示させる。そして、データ処理部は、ある店舗および別の店舗について、シンボル画像の移動に対応して、在庫状況データにおけるそのシンボル画像に対応する商品の在庫数を変更する。
【０００８】
また、本発明に係る在庫管理装置は、上記の在庫管理装置に加えて、次のようにしてもよい。つまり、その場合、表示制御部は、ユーザによる移動操作に基づき、複数のシンボル画像を別の店舗の表示領域へまとめて移動させて表示させる。
【０００９】
また、本発明に係る在庫管理装置は、上記の在庫管理装置のいずれかに加えて、次のようにしてもよい。つまり、その場合、表示制御部は、１つの所定のシンボル画像に対するユーザによる移動操作に応じて、その１つの所定のシンボル画像およびその所定のシンボル画像より１列または１行の先端側にあるすべてのシンボル画像をまとめて移動させて表示させる。
【００１０】
また、本発明に係る在庫管理装置は、上記の在庫管理装置のいずれかに加えて、次のようにしてもよい。つまり、その場合、表示制御部は、表示領域において、商品種類ごとに、１列または１行で在庫数および販売数をその在庫数および販売数とそれぞれ同数の、それぞれに異なる所定のシンボル画像で表示させ、さらに、ユーザによる移動操作に基づき、在庫数を示すシンボル画像を別の店舗の表示領域へ移動させて表示させ、その移動操作が完了すると、その在庫数を示すシンボル画像を、別の店舗の表示領域における同一の商品種類の、在庫数を示すシンボル画像に自動的に追加してまとめて販売数を示すシンボル画像とともに１列または１行で表示させ、また、ユーザによる移動操作に基づく、販売数を示すシンボル画像の移動を禁止する。
【００１１】
また、本発明に係る在庫管理装置は、上記の在庫管理装置のいずれかに加えて、次のようにしてもよい。つまり、その場合、表示制御部は、１列または１行の先端側にまとめて在庫数を示すシンボル画像を表示させ、さらに、在庫数を示す１つのシンボル画像に対するユーザによる移動操作に応じて、その在庫数を示すシンボル画像およびそのシンボル画像より１列または１行の先端側にあるすべてのシンボル画像をまとめて移動させて表示させる。
【００１２】
本発明に係る在庫移動処理方法は、在庫状況データに基づき複数の店舗の在庫状況を表示する所定の表示装置の表示画面に、複数の店舗のそれぞれに対応する表示領域を設け、表示領域において、商品種類ごとに１列または１行で在庫数をその在庫数と同数の所定のシンボル画像で表示させるステップと、ユーザによる移動操作に基づき、ある店舗の表示領域におけるある商品種類の商品に対応するシンボル画像を別の店舗の表示領域へ移動させて表示させるステップと、その移動操作が完了すると、移動対象の商品のシンボル画像を、別の店舗の表示領域における同一の商品種類のシンボル画像に自動的に追加してまとめて１列または１行で表示させるステップと、ある店舗および別の店舗について、シンボル画像の移動に対応して、在庫状況データにおけるそのシンボル画像に対応する商品の在庫数を変更するステップとを備える。
【発明の効果】
【００１３】
本発明によれば、直感的かつ簡単な操作で誤りなく、店舗間の在庫移動に関するデータ処理を実行することができる。
【発明を実施するための最良の形態】
【００１４】
以下、図に基づいて本発明の実施の形態を説明する。
【００１５】
図１は、本発明の実施の形態に係る在庫管理装置の構成を示すブロック図である。図１において、ＣＰＵ１は、プログラムを実行し、プログラムに記述された処理を実行する演算処理装置である。また、ＲＯＭ２は、プログラムおよびデータを予め記憶した不揮発性のメモリである。また、ＲＡＭ３は、プログラムを実行する際にそのプログラムおよびデータを一時的に記憶するメモリである。
【００１６】
また、ＨＤＤ４は、図示せぬオペレーティングシステムや、在庫管理プログラムなどのアプリケーションプログラムを格納する記録媒体としてのハードディスク駆動装置である。
【００１７】
また、インタフェース５は、データ格納装置１１を接続可能なインタフェース回路である。インタフェース６は、ネットワークインタフェースカード、モデムなどといった通信装置１２を接続可能なインタフェース回路である。インタフェース７は、キーボード、マウスなどといった入力装置１３を接続可能なインタフェース回路である。なお、インタフェース５としては、ＳＣＳＩ、ＩＤＥ互換のもの、ＩＥＥＥ１３９４、ＵＳＢなどといったインタフェースが使用される。また、インタフェース６としては、外部装置接続用のＵＳＢ、ＲＳ−２３２Ｃなどといったインタフェースが使用される。ただし、通信装置１２としてネットワークインタフェースカードなどのコンピュータに内蔵可能なものを使用する場合には、バス９に直接接続可能である。インタフェース７としては、ＰＳ／２インタフェース、ＵＳＢなどといったインタフェースが使用される。
【００１８】
また、画像処理回路８は、画像データを書き込まれると、そのデータに対応する画像信号を出力する回路である。この画像処理回路８には、その画像信号に基づいて画像を表示する表示装置１４が接続可能である。
【００１９】
バス９は、ＣＰＵ１、ＲＯＭ２、ＲＡＭ３、ＨＤＤ４、インタフェース５，６，７、および画像処理回路８を相互に接続する信号路である。バス９としては、ＰＣＩなどといった規格のバスが使用される。なお、バス９の本数、およびＣＰＵ１などのバス９への接続形態は、図１のものに限定されるものではない。
【００２０】
また、データ格納装置１１は、大容量のデータを格納可能な装置であって、在庫管理データ３１を格納する装置である。このように装置としては、ハードディスク駆動装置、ディスクアレイ装置などが使用される。
【００２１】
店舗別在庫データ２１には、複数の店舗について、各店舗の各商品種類の商品在庫数、商品販売数などの数量データが含まれる。
【００２２】
なお、例えば、パーソナルコンピュータを使用して本実施の形態に係る装置を実現する場合には、パーソナルコンピュータの筐体内に、ＣＰＵ１、ＲＯＭ２、インタフェース７およびバス９を少なくとも有するマザーボードが配置され、そのマザーボードに、ＲＡＭ３、ＨＤＤ４、インタフェース６を実装したカード、画像処理回路８を実装したグラフィックカードなどが接続される。また、データ格納装置１１は、インタフェース５とともにパーソナルコンピュータに内蔵させてもよいし、外部装置としてパーソナルコンピュータのインタフェース５に接続させるようにしてもよい。
【００２３】
図２は、ＨＤＤ４に格納されている在庫管理プログラムがＣＰＵ１により実行されることで実現される処理部を示すブロック図である。図２において、操作検出部３１は、インタフェース７を介して入力装置１３からの信号を受け取り、入力装置１３に対して行われたユーザ操作およびその種類を検出する処理部である。
【００２４】
また、データ処理部３２は、ユーザによる操作に基づき、インタフェース５を介してデータ格納装置１１にアクセスし、在庫状況データである店舗別在庫データ２１の読み書きおよび変更を行う処理部である。
【００２５】
また、表示制御部３３は、在庫状況データである店舗別在庫データ２１に基づき複数の店舗の在庫状況を、画像処理回路８を介して表示装置１４に表示させる処理部である。また、表示制御部３３は、操作検出部３１により検出されたユーザ操作に応じて、各店舗における在庫商品を示すシンボル画像を移動させて表示装置１４に表示させる。
【００２６】
次に、上記装置の動作について説明する。
【００２７】
まず、ＣＰＵ１は、ＨＤＤ４に格納されている在庫管理プログラムを実行する。これにより、図２に示す各処理部が実現される。
【００２８】
そして、データ処理部３２は、店舗別在庫データ２１を読み出し、表示制御部３３は、その店舗別在庫データ２１に基づき、在庫状況を表示装置１４を表示させる。図３は、本発明の実施の形態における在庫状況の表示例および在庫移動の操作を行うための画面例を示す図である。図３に示すように、この画面では、店舗ごとに表示領域４１ａ，４１ｂが設けられる。この例では、表示領域４１ａは、店舗「代々木本店」の在庫状況を表示するための長方形の表示領域であり、表示領域４１ｂは、店舗「渋谷店」の在庫状況を表示するための長方形の表示領域である。複数の店舗の表示領域４１ａ，４１ｂは境界４２で隣接して設定される。
【００２９】
各表示領域４１ａ，４１ｂは、商品の色（ここでは黒、白、紺）、商品のサイズ（ここでは、ＳＳ、Ｓ、Ｍ）といった各商品種類の表示領域４３で分割される。つまり、図３では、表示領域４１ａ，４１ｂは、それぞれ、９つの商品種類の表示領域４３で分割されている。各表示領域４３は、表示領域４１ａ，４１ｂの配列方向が短辺となるような長方形の表示領域とされる。各表示領域４１ａ，４１ｂの各表示領域４３には、その表示領域４１ａ，４１ｂに対応する店舗に現存する、その表示領域４３に対応する商品種類の商品数を示すシンボル画像５１，５２，５３が積み重ねられて表示される。この例では、シンボル画像５１，５２，５３は、それぞれ異なる色の正方形の画像とされる。シンボル画像５１（図中の日付のない斜線の付された正方形）は、未販売の在庫を示す画像である。１つのシンボル画像５１が１つの在庫商品に対応する。シンボル画像５２は、販売済みの商品を示す画像である。シンボル画像５２にはその商品が販売された日付が含まれる。１つのシンボル画像５２が１つの販売済み商品に対応する。シンボル画像５３は、破損、万引きなどでロスした商品を示す画像である。シンボル画像５３にはその商品のロスが発見された日付が含まれる。１つのシンボル画像５３が１つのロス商品に対応する。
【００３０】
さらに、この画面には、マウスカーソル６１、在庫移動を確定するための確定ボタン６２、商品画像６３、商品型番および商品名が併せて表示される。
【００３１】
例えば、図３に示す商品については、店舗「代々木本店」では、商品種類「黒」・「ＳＳ」の商品が、１月３日に１つ販売され、２月４日に１つロスし、２月４日に１つ販売されており、在庫数が５つとなっている。また、例えば、店舗「渋谷店」では、商品種類「黒」・「ＳＳ」の商品が、２月１２日に１つ販売され、在庫数が１つとなっている。
【００３２】
このような在庫状況が表示されている状態で、在庫を店舗間で移動させる際のデータ処理について説明する。
【００３３】
表示制御部３３は、操作検出部３１により検出されたユーザによる移動操作に基づき、ある店舗の表示領域におけるある商品種類の商品に対応するシンボル画像５１を別の店舗の表示領域へ移動させて表示し、その移動操作が完了すると、移動対象の商品のシンボル画像を、別の店舗の表示領域における同一の商品種類のシンボル画像に自動的に追加してまとめて１列で表示させる。そして、データ処理部３２は、シンボル画像５１の移動に対応して、店舗別在庫データ２１におけるある店舗および別の店舗について、対応する商品の在庫数を変更する。
【００３４】
一例として、図３における店舗「代々木本店」から店舗「渋谷店」へ、商品種類「黒」・「ＳＳ」の在庫を２つ移動させる際の処理について説明する。
【００３５】
入力装置１３のマウスが操作されると、その操作が操作検出部３１により検出され、表示制御部３３は、マウスカーソル６１の表示位置を移動させる。そして、マウスカーソル６１が在庫のシンボル画像５１に重畳して表示されている状態で、ドラッグ操作が行われると、操作検出部３１によりその操作が検出され、表示制御部３３は、その操作量に応じて、マウスカーソル６１が重畳しているシンボル画像５１およびそれより列の先端側のシンボル画像５１すべてを、積み重ねた状態で移動させて表示させる。図４は、移動元の店舗の表示領域４１ａで移動中のシンボル画像５１の一例を示す図である。図４では、店舗「代々木本店」の商品種類「黒」・「ＳＳ」の在庫を示す５つのシンボル画像５１のうちの先端から２つめのシンボル画像５１がドラッグされ、そのシンボル画像５１とともに先端側の１つのシンボル画像５１、合計２つのシンボル画像５１が積み重ねられた状態で移動する。
【００３６】
その後、引き続きドラッグ操作に応じて、境界４２を越え、店舗「代々木本店」の表示領域４１ａから店舗「渋谷」の表示領域４１ｂへ、１または複数のシンボル画像５１が移動させられる。図５は、移動先の店舗の表示領域４１ｂで移動中のシンボル画像５１の一例を示す図である。図５は、図４の表示状態の後の表示状態を示している。図５では、在庫の移動先である店舗「渋谷」の表示領域４１ｂへ、商品種類「黒」・「ＳＳ」の２つのシンボル画像５１が移動している。
【００３７】
そして、店舗「渋谷」の表示領域４１ｂにおいて上述のドラッグ操作が終わると、ドラッグ操作の終了が操作検出部３１により検出され、それに伴い、表示制御部３３は、ドラッグ操作されたシンボル画像５１に対応する商品種類を特定し、その１または複数のシンボル画像５１を、表示領域４１ｂにおける同一の商品種類に対応する表示領域４３へ自動的に移動させる。その際、表示制御部３３は、その表示領域４３における既存のシンボル画像５１に積み重ねて、他の表示領域４１ａから移動してきたシンボル画像５１を表示させる。図６は、移動先の店舗の表示領域４１ｂへ移動を完了したシンボル画像５１の一例を示す図である。図６では、ドラッグ操作の終了が検出され、マウスカーソル６１はそのままの位置に継続して表示されるが、移動してきた２つのシンボル画像５１は、表示領域４１ｂの、商品種類「黒」・「ＳＳ」に対応する表示領域４３へ移動され、その表示領域４３における既存の１つのシンボル画像５１に対して積み重ねられて表示される。これにより、店舗「渋谷店」の商品種類「黒」・「ＳＳ」の在庫に対応するシンボル画像５１は３つに増加している。
【００３８】
その後、ユーザ操作でマウスカーソル６１により確定ボタン６２が押下されると、操作検出部３１によりその操作が検出され、それに伴い、データ処理部３２は、上述の在庫の移動操作が確定されたと判断し、店舗別在庫データ２１における各店舗の在庫数データを変更する。つまり、この例の場合、店舗「代々木本店」の商品種類「黒」・「ＳＳ」の在庫数が２だけ減らされて３とされるとともに、店舗「渋谷店」の商品種類「黒」・「ＳＳ」の在庫数が２だけ増やされて３とされる。さらに、確定ボタン６２が押下されると、データ処理部３２は、図示せぬ印刷装置を制御して、在庫移動に関する伝票を自動的に印刷させるようにしてもよい。
【００３９】
以上のように、上記実施の形態によれば、表示制御部３３は、店舗別在庫データ２１に基づき複数の店舗の在庫状況を表示装置１４に表示させる。また、データ処理部３２は、ユーザによる操作に基づき店舗別在庫データ２１を変更する。そして、表示制御部３３は、表示装置１４に、複数の店舗のそれぞれに対応する表示領域４１ａ，４１ｂを設け、表示領域４１ａ，４１ｂにおいて、商品種類ごとに１列で在庫数をその在庫数と同数の所定のシンボル画像５１で表示させ、ユーザによる移動操作に基づき、ある店舗の表示領域４１ａにおけるある商品種類の商品に対応するシンボル画像５１を別の店舗の表示領域４１ｂへ移動させて表示し、その移動操作が完了すると、移動対象の商品のシンボル画像５１を、別の店舗の表示領域４１ｂにおける同一の商品種類のシンボル画像５１に自動的に追加してまとめて１列で表示させる。そして、データ処理部３２は、シンボル画像５１の移動に対応して、店舗別在庫データ２１におけるある店舗および別の店舗について、対応する商品の在庫数を変更する。
【００４０】
これにより、視覚的に移動する在庫数を確認しつつ操作を行うことになるため、直感的かつ簡単な操作で、店舗間の在庫移動に関するデータ処理を実行することができるとともに、さらに、画面上で在庫数と同数のシンボル画像５１を移動させるため、移動元の在庫減の処理と移動先の在庫増の処理がシンボル画像５１の移動という１つの操作のみで行われるため、在庫総数が現実の数と合わなくなる可能性をなくして店舗間の在庫移動に関するデータ処理を実行することができる。
【００４１】
また、上記実施の形態によれば、表示制御部３３は、ユーザによる移動操作に基づき、複数のシンボル画像５１を別の店舗の表示領域へまとめて移動させて表示させる。
【００４２】
これにより、ユーザは、所望の複数の在庫数の商品を一度の操作で、別の店舗へ移動させる処理を行うことができる。
【００４３】
また、上記実施の形態によれば、表示制御部３３は、１つの所定のシンボル画像５１に対するユーザによる移動操作に応じて、その１つの所定のシンボル画像５１およびその所定のシンボル画像５１より１列の先端側にあるすべてのシンボル画像５１をまとめて移動させて表示させる。
【００４４】
これにより、視覚的にまとまった状態で複数のシンボル画像５１が移動するため、ユーザが在庫の移動数を直ちに認識することができる。
【００４５】
また、上記実施の形態によれば、表示制御部３３は、表示領域４１ａ，４１ｂにおいて、商品種類ごとに、１列で在庫数および販売数をその在庫数および販売数とそれぞれ同数の、それぞれに異なる所定のシンボル画像５１，５２で表示させ、さらに、ユーザによる移動操作に基づき、在庫数を示すシンボル画像５１を別の店舗の表示領域へ移動させて表示させ、その移動操作が完了すると、その在庫数を示すシンボル画像５１を、別の店舗の表示領域における同一の商品種類の、在庫数を示すシンボル画像５１に自動的に追加してまとめて販売数を示すシンボル画像５２とともに１列で表示させ、また、ユーザによる移動操作に基づく、販売数を示すシンボル画像５２の移動を禁止する。
【００４６】
これにより、未販売の在庫商品のみが移動可能となり、販売済みの商品をデータ上移動させることができないため、誤って販売済みの商品数を別の店舗へ付け替えることを防止できる。
【００４７】
また、上記実施の形態によれば、表示制御部３３は、１列の先端側にまとめて在庫数を示すシンボル画像５１を表示させ、さらに、在庫数を示す１つのシンボル画像５１に対するユーザによる移動操作に応じて、その在庫数を示す１つのシンボル画像５１およびそのシンボル画像５１より１列の先端側にあるすべてのシンボル画像５１をまとめて移動させて表示させる。
【００４８】
これにより、視覚的にまとまった状態で複数のシンボル画像５１が移動するため、ユーザが在庫の移動数を直ちに認識することができる。
【００４９】
なお、上述の実施の形態は、本発明の好適な例であるが、本発明は、これらに限定されるものではなく、本発明の要旨を逸脱しない範囲において、種々の変形、変更が可能である。  例えば、上記実施の形態では、一例として、店舗数が２つの場合の表示例を示しているが、在庫状況の表示される店舗数は３つ以上でもよい。
【００５０】
また、上記実施の形態では、表示画面の横方向に、店舗に対応する表示領域４１ａ，４１ｂが配列されているが、その代わりに縦方向に、表示領域４１ａ，４１ｂを配列するようにしてもよい。その場合、各商品種類に対応する表示領域４３の長辺が表示画面の横方向となる。
【００５１】
また、上記実施の形態において、クライアント・サーバシステムを導入し、サーバ装置に、ユーザインタフェースを構成する入力装置１３および表示装置１４以外の部分を設け、クライアント端末装置に、ユーザインタフェースを構成する入力装置１３および表示装置１４を設け、データ通信により、サーバ装置とクライアント端末装置との間で上述の処理に必要なデータの送受を行うようにしてもよい。また、サーバ装置に、データ格納装置１１を設け、その他の部分をクライアント端末装置に設け、データ通信により、サーバ装置とクライアント端末装置との間で上述の処理に必要なデータの送受を行うようにしてもよい。これらの場合に、サーバ装置は、アプリケーションサービスプロバイダ（ＡＳＰ）として実現するようにしてもよい。
【００５２】
また、上記実施の形態において、シンボル画像５１〜５３は四角形であるが、その代わりに円形などとしてもよい。また、シンボル画像５１〜５３はそれぞれ異なる色とされているが、その代わりに、それぞれ異なる形状としてもよい。
【００５３】
また、上記実施の形態において、表示領域４１ａと表示領域４１ｂは隣接しているが、離れて配置されていてもよい。
【００５４】
なお、上記実施の形態においては、一例として、表示領域４１ａから表示領域４１ｂへのシンボル画像５１の移動を例示しているが、表示領域４１ｂから表示領域４１ａへのシンボル画像５１の移動も同様に可能である。
【産業上の利用可能性】
【００５５】
本発明は、例えば、アパレル製品の在庫管理に適用可能である。
【図面の簡単な説明】
【００５６】
【図１】本発明の実施の形態に係る在庫管理装置の構成を示すブロック図である。
【図２】在庫管理プログラムで実現される処理部を示すブロック図である。
【図３】在庫状況の表示と在庫移動の操作を行うための画面例を示す図である。
【図４】移動元の店舗の表示領域で移動中のシンボル画像の一例を示す図である。
【図５】移動先の店舗の表示領域で移動中のシンボル画像の一例を示す図である。
【図６】移動を完了したシンボル画像の一例を示す図である。
【符号の説明】
【００５７】
２１  店舗別在庫データ（在庫状況データ）
３２  データ処理部
３３  表示制御部
４１ａ，４１ｂ  表示領域
５１  シンボル画像（在庫数を示すシンボル画像）
５２  シンボル画像（販売数を示すシンボル画像）
【図１】
2008110867.tif 000003
【図２】
2008110867.tif 000004
【図３】
2008110867.tif 000005
【図４】
2008110867.tif 000006
【図５】
2008110867.tif 000007
【図６】
2008110867.tif 000008